(57)【要約】      （修正有）【課題】開封に際して発生するゴミの散在量を低減させ、落下衝撃にも強い包装箱を提供する。【解決手段】上面板２５、底面板、これらを連結する２つの側面板１５を有して形成される帯状の胴部、内フラップ３１、外フラップ４１を備えてなるラップアラウンド式の包装箱であって、側面板の略中央部には、開封開始口が形成されており、開封開始口の両側から内フラップ側へそれぞれ延設されるとともに、上面板側へと近づくように形成されたトレイ形成用切り取りライン１１０を有し、内フラップ側へそれぞれ延設されるトレイ形成用切り取りラインは、側面板のライン延設方向の端部に到達するまで延設されるか、あるいは、側面板のライン延設方向の端部に至る手前で延設を止めるように形成されており、延設されるトレイ形成用切り取りラインの延設方向の終端部においては、終端部からさらに真っ直ぐ上面板側へと伸びる補助切り取りライン１１１が形成される。【選択図】図２
2012091799.tif 000002
【特許請求の範囲】
【請求項１】
上面板、底面板、およびこれらを連結する２つの側面板を有して形成される帯状の胴部、ならびに内フラップおよび外フラップを備えてなるラップアラウンド式の包装箱であって、
前記側面板の略中央部には、それぞれ、開封開始口が形成されており、当該開封開始口の両側から内フラップ側へそれぞれ延設されるとともに、上面板側へと近づくように形成されたトレイ形成用切り取りラインを有し、
前記内フラップ側へそれぞれ延設されるトレイ形成用切り取りラインは、側面板のライン延設方向の端部に到達するまで延設されるか、あるいは、側面板のライン延設方向の端部に至る手前で延設を止めるように形成されており、
前記延設されるトレイ形成用切り取りラインの延設方向の終端部においては、当該終端部からさらに真っ直ぐ上面板側へと伸びる補助切り取りラインが形成されており、
前記開封開始口に指を挿入するとともに、側面板を外方に開くようにしてトレイ形成用切り取りラインおよび補助切り取りライン線を切り取り、しかる後、上面板に近い方の外フラップの内フラップとの接着部位を剥離させて、上面板とこの上面板に付随する切り取られた側面板部分と外フラップとの一体化物を除去した残余物にてトレイが形成されるようになっていることを特徴とする包装箱。
【請求項２】
前記トレイ形成用切り取りラインと垂直軸との角度θ（鋭角側）が７５°〜８５°の範囲である請求項１に記載の包装箱。
【請求項３】
前記トレイ形成用切り取りラインが側面板のライン延設方向の端部に至る手前で延設を止めるように形成されている場合において、上面板側へと伸びる補助切り取りラインの終端部からさらにコーナー（箱の角部）に向かう側面板と上板面との接合折線の箇所に切り取り線が形成されてなる請求項１または請求項２に記載の包装箱。
【請求項４】
前記トレイ形成用切り取りラインが側面板のライン延設方向の端部に至る手前で延設を止めるように形成されている場合において、当該トレイ形成用切り取りラインは、側面板の端部に至る手前１５〜２５ｍｍの範囲内で延設が止められている（トレイ形成用切り取りラインの最終端と接合折線との間の距離Ｄ＝１５〜２５ｍｍと同義）請求項１ないし請求項３のいずれかに記載の包装箱。
【請求項５】
上面板および底面板が８角形のコーナーカット形態を形成するために、側面板と内フラップが接続する箇所において、折り曲げ連接片が介在されており、
前記側面板の略中央部には、それぞれ、開封開始口が形成されており、当該開封開始口の両側から内フラップ側へそれぞれ延設されるとともに、上面板側へと近づくように形成されたトレイ形成用切り取りラインを有し、
前記内フラップ側へそれぞれ延設されるトレイ形成用切り取りラインは、側面板と折り曲げ連接片との接合折線まで延設されており（側面板のライン延設方向の端部に到達するまで延設）、
前記延設されるトレイ形成用切り取りラインの終端部においては、側面板と折り曲げ連接片との接合折線に沿って、終端部からさらに真っ直ぐ上面板側へと伸びる補助切り取りラインが形成されている請求項１または請求項２に記載の包装箱。
【請求項６】
前記トレイ形成用切り取りラインはミシン目で形成されており、開封開始口の近傍のミシン目ピッチと上面板側へと近づく終端部近傍におけるミシン目ピッチを比較した場合、終端部近傍におけるミシン目ピッチの方が小さい（狭い）請求項１ないし請求項５のいずれかに記載の包装箱。
【請求項７】
前記外フラップには、トレイを形成するためのミシン目が形成されていない請求項１ないし請求項６のいずれかに記載の包装箱。
【請求項８】
前記開封開始口は、折線およびカット線を有し構成されており、当該開封開始口に対して押し込み操作を行うことによって、折線を基準として折り曲がる舌片が形成され、把持用の開口が形成されるように構成される請求項１ないし請求項７のいずれかに記載の包装箱。
【請求項９】
請求項１〜８のいずれかに記載の包装箱に容器を収納してなる包装製品。
【発明の詳細な説明】
【技術分野】
【０００１】
本発明は、例えば缶ビール、発泡酒缶、チューハイ缶等のアルコール飲料缶や、缶ジュース、缶コーヒー、缶紅茶、缶入り茶等ノンアルコール飲料缶等の一定数量の容器を纏めて包み込むように収納するいわゆるラップアラウンド式のカートン包装箱に関する。
【０００２】
さらに詳しくは、店頭で中身の容器製品物を陳列する際、予め包装箱に形成された例えば切り取りラインを利用して、カートン包装箱の略上半分を除去することによって、残余の下半分のカートン包装箱を、トレイとして用いることができる包装箱に関する。なお、本発明でいう「容器」とは、内容物が充填されている製品の形態のものをいう。
【背景技術】
【０００３】
いわゆるラップアラウンド式の包装箱による容器製品物の包装は一般に以下の要領で行われる。すなわち、上面板、底面板、およびこれらを連結する側面板を有して形成される帯状の胴部で容器製品物を包み込むように収納した後、その開口したままになっている胴部両端部をそれぞれ一対の内フラップおよび外フラップで順次塞ぐことにより、容器製品物が収納された包装箱が形成される。
【０００４】
このように形成されたラップアラウンド式の包装箱の中には、店頭で中身の容器製品物を陳列する際に、予め包装箱に形成された例えば切り取りライン（ミシン目状ジッパー）に沿って引裂き帯体を引裂くことによって紙箱を上下に分断し、上蓋を取り外した後、下部に残った残余の下部箱をそのまま商品を載せる紙トレイとして利用できるタイプのものが存在する（例えば、下記の特許文献１、２等）。
【０００５】
従来より一般に用いられているこの種の包装箱の形態が図１９に示される。
図１９に示される従来の缶用ラップアラウンドカートンケース３００のいわゆるジッパー機能は、側面板３２０に予め帯状に施されたミシン目により構成されている。図の点線で描かれている状態が開封前の状態であるが、台形状の引裂き開始片のみミシン目カットされておりそれ以外は内側ライナーカットされていることが一般的である。
【０００６】
側面中央部に実質的に密接するように形成されている一対の台形状の引裂き開始片３２１，３２５を、それぞれ、側面中央から両端（矢印方向）に向かって引き裂くことにより（開封している状態であり実線で描かれている）、最終的に箱体の上下がそれぞれトレイ状に分断されるようになっている。
【先行技術文献】
【特許文献】
【０００７】
【特許文献１】特開平１１−１７１１７２号公報
【特許文献２】特開２０００−３３５５５４号公報
【特許文献３】特開２００４−３４４２３６号公報
【特許文献４】特開平８−３４４３０号公報
【特許文献５】実開平６−８７２２１号公報
【特許文献６】実用新案登録第３０１００３８号公報
【発明の概要】
【発明が解決しようとする課題】
【０００８】
しかしながら、このような従来のラップアラウンドカートンケースの開封に際し、いわゆるジッパー（引裂き帯体）を引裂く労力は、思ったよりも力が必要となる作業となり、肉体的にも負担が大きく、決して開封性に優れたものであるとは言えない。また、開封後の残余の下部のトレイそのものの強度は十分なものとは言えず、陳列の際、あるいは陳列の後の移動の際にトレイそのものが破損するおそれがある。さらに、発生するゴミの散在量も多くなりその後の片付け・廃棄処分にも多大な労力を要することがある。
【０００９】
このような実状のもとに本発明は創案されたものであり、その目的は、上記の問題点を解決し、トレイ形成のための箱分断操作が簡易に行えて、しかも残余の下部のトレイを構成する構造体そのものの強度が増強され、さらには、開封に際して発生するゴミの散在量を低減させることができる包装箱を提供することにある。なお、トレイ形成のための箱分断操作が簡易であっても、箱を落下させた時の落下衝撃に対してミシン目が破断したり、内容物が飛び出したりしては商品として成り立たないので、落下衝撃に強い設計が要求される。
【００１０】
なお、本願発明に類似の先行特許文献３および先行特許文献６は、それぞれ、いわゆるラップアラウンド式の包装箱とは異なる形態のものであり、しかも開封手法が異なる。また、先行特許文献４および先行特許文献５は、それぞれ、いわゆるラップアラウンド式の包装箱ではあるが、完全に上蓋等を切断して除去するものではなく、しかも開封手法が異なる。
【課題を解決するための手段】
【００１１】
上記の課題を解決するために、本発明は、上面板、底面板、およびこれらを連結する２つの側面板を有して形成される帯状の胴部、ならびに内フラップおよび外フラップを備えてなるラップアラウンド式の包装箱であって、前記側面板の略中央部には、それぞれ、開封開始口が形成されており、当該開封開始口の両側から内フラップ側へそれぞれ延設されるとともに、上面板側へと近づくように形成されたトレイ形成用切り取りラインを有し、前記内フラップ側へそれぞれ延設されるトレイ形成用切り取りラインは、側面板のライン延設方向の端部に到達するまで延設されるか、あるいは、側面板のライン延設方向の端部に至る手前で延設を止めるように形成されており、前記延設されるトレイ形成用切り取りラインの延設方向の終端部においては、当該終端部からさらに真っ直ぐ上面板側へと伸びる補助切り取りラインが形成されており、前記開封開始口に指を挿入するとともに、側面板を外方に開くようにしてトレイ形成用切り取りラインおよび補助切り取りライン線を切り取り、しかる後、上面板に近い方の外フラップの内フラップとの接着部位を剥離させて、上面板とこの上面板に付随する切り取られた側面板部分と外フラップとの一体化物を除去した残余物にてトレイが形成されるように構成される。
【００１２】
また、本発明の包装箱の好ましい態様として、前記トレイ形成用切り取りラインと垂直軸との角度θ（鋭角側）が７５°〜８５°の範囲となるように構成される。
【００１３】
また、本発明の包装箱の好ましい態様として、前記トレイ形成用切り取りラインが側面板のライン延設方向の端部に至る手前で延設を止めるように形成されている場合において、上面板側へと伸びる補助切り取りラインの終端部からさらにコーナー（箱の角部）に向かう側面板と上板面との接合折線の箇所に切り取り線が形成されてなるように構成される。
【００１４】
また、本発明の包装箱の好ましい態様として、前記トレイ形成用切り取りラインが側面板のライン延設方向の端部に至る手前で延設を止めるように形成されている場合において、当該トレイ形成用切り取りラインは、側面板の端部に至る手前１５〜２５ｍｍの範囲内で延設が止められている（トレイ形成用切り取りラインの最終端と接合折線との間の距離Ｄ＝１５〜２５ｍｍと同義）ように構成される。
【００１５】
また、本発明の包装箱の好ましい態様として、上面板および底面板が８角形のコーナーカット形態を形成するために、側面板と内フラップが接続する箇所において、折り曲げ連接片が介在されており、前記側面板の略中央部には、それぞれ、開封開始口が形成されており、当該開封開始口の両側から内フラップ側へそれぞれ延設されるとともに、上面板側へと近づくように形成されたトレイ形成用切り取りラインを有し、前記内フラップ側へそれぞれ延設されるトレイ形成用切り取りラインは、側面板と折り曲げ連接片との接合折線まで延設されており（側面板のライン延設方向の端部に到達するまで延設）、前記延設されるトレイ形成用切り取りラインの終端部においては、側面板と折り曲げ連接片との接合折線に沿って、終端部からさらに真っ直ぐ上面板側へと伸びる補助切り取りラインが形成されているように構成される。
【００１６】
また、本発明の包装箱の好ましい態様として、前記トレイ形成用切り取りラインはミシン目で形成されており、開封開始口の近傍のミシン目ピッチと上面板側へと近づく終端部近傍におけるミシン目ピッチを比較した場合、終端部近傍におけるミシン目ピッチの方が小さくなる（狭くなる）ように構成される。
【００１７】
また、本発明の包装箱の好ましい態様として、前記外フラップには、トレイを形成するためのミシン目が形成されていないように構成される。
【００１８】
また、本発明の包装箱の好ましい態様として、前記開封開始口は、折線およびカット線を有し構成されており、当該開封開始口に対して押し込み操作を行うことによって、折線を基準として折り曲がる舌片が形成され、把持用の開口が形成されるように構成される。
【００１９】
本発明の包装製品は、上記に記載された包装箱に容器を収納することにより構成される。
【発明の効果】
【００２０】
本発明の包装箱は、本発明の包装箱は、上面板、底面板、およびこれらを連結する２つの側面板を有して形成される帯状の胴部、ならびに内フラップおよび外フラップを備えてなるラップアラウンド式の包装箱であって、側面板の略中央部には、それぞれ、開封開始口が形成されており、開封開始口の両側から内フラップ側へそれぞれ延設されるとともに、上面板側へと近づくように形成されたトレイ形成用切り取りラインを有し、内フラップ側へそれぞれ延設されるトレイ形成用切り取りラインは、側面板のライン延設方向の端部に到達するまで延設されるか、あるいは、側面板のライン延設方向の端部に至る手前で延設を止めるように形成されており、延設されるトレイ形成用切り取りラインの延設方向の終端部においては、終端部からさらに真っ直ぐ上面板側へと伸びる補助切り取りラインが形成されており、開封開始口に指を挿入するとともに、側面板を外方に開くようにしてトレイ形成用切り取りラインおよび補助切り取りライン線を切り取り、しかる後、上面板に近い方の外フラップの内フラップとの接着部位を剥離させて、上面板とこの上面板に付随する切り取られた側面板部分と外フラップとの一体化物を除去した残余物にてトレイが形成されるように構成されているので、トレイ形成のための箱分断操作が簡易に行え、しかも残余の下部のトレイを構成する構造体そのものの強度が増強され、さらには、開封に際して発生するゴミの散在量を低減させることができるという効果が発現する。さらには、落下衝撃に対しても強い。
【図面の簡単な説明】
【００２１】
【図１】図１は、本発明の包装箱の展開図の一例（第１の実施形態）を示したものである。
【図２】図２は、図１に示される展開紙を組み立てた包装箱（カートン箱）の斜視図である。
【図３】図３は、図２に示される側面方向とは反対の方向から見た包装箱（カートン箱）の斜視図であり、トレイ形成のための箱分断操作を開始する前の状態の斜視図である。
【図４】図４は、トレイ形成のための箱分断操作を経時的に示す概略斜視図である。
【図５】図５は、トレイ形成のための箱分断操作を経時的に示す概略斜視図である。
【図６】図６は、トレイ形成のための箱分断操作を経時的に示す概略斜視図である。
【図７】図７は、トレイ形成のための箱分断操作を経時的に示す概略斜視図である。
【図８】図８は、トレイ形成のための箱分断操作を経時的に示す概略斜視図である。
【図９】図９は、トレイ形成のための箱分断操作を経時的に示す概略斜視図である。
【図１０】図１０は、本発明の包装箱の展開図の他の一例（第２の実施形態）を示したものである。
【図１１】図１１は、本発明の包装箱の展開図の他の一例（第３の実施形態）を示したものである。
【図１２】図１２は、図１１に示される展開紙を組み立てた包装箱（カートン箱）の斜視図である。
【図１３】図１３は、本発明の包装箱の展開図の他の一例（第４の実施形態）を示したものである。
【図１４】図１４は、図１３に示される展開紙を組み立てた包装箱（カートン箱）の斜視図である。
【図１５】図１５は、本発明の包装箱の展開図の他の一例（第５の実施形態）を示したものである。
【図１６】図１６は、本発明の包装箱の展開図の他の一例（第６の実施形態）を示したものである。
【図１７】図１７は、本発明の包装箱の展開図の他の一例（第７の実施形態）を示したものである。
【図１８】図１８は、本発明の包装箱の展開図の他の一例（第８の実施形態）を示したものである。
【図１９】従来技術によるトレイ形成のための箱分断操作を模式的に示した概略斜視図である。
【発明を実施するための形態】
【００２２】
以下、本発明の包装箱の具体的実施の形態の一例について、図面を参照しつつ説明する。
【００２３】
図１は、本発明の包装箱の展開図の一例を示したものであり、図２は、図１に示される展開された箱オリジナル紙を組み立てた斜視図であり、図３は、図２に示される側面方向とは反対の側面方向から見た包装箱（カートン箱）の斜視図であって、トレイ形成のための箱分断操作を開始する前の状態として描かれた斜視図であり、図４〜図９は、それぞれ、図３に示されるごとく組み立てられた包装箱（製品出荷箱）の側面に形成されたトレイ形成用切り取りラインを引裂くことによって紙箱を上下に分断し、トレイを形成する状況を経時的に説明するための概略斜視図である。
【００２４】
なお、図１〜図９に示される包装箱は、上面板、底面板、およびこれらを連結する２つの側面板を有して形成される帯状の胴部、ならびに内フラップおよび外フラップを備えてなるラップアラウンド式の包装箱であって、特に、上面板および底面板が８角形のコーナーカット形態をなす、いわゆるコーナーカットカートンと称されるラップアラウンド式の包装箱である。
【００２５】
本発明の包装箱１は、図１に示される展開図および図２や図３に示される包装箱組立図から容易に理解できるように、例えば、まず最初に、上面板２５、底面板２１、およびこれらを連結する２つの側面板１１，１５を有して形成される帯状の胴部で容器製品物（缶ビールなどの缶製品群）を包み込むように収納した後、糊代片９で帯状の胴部を筒状に一体固着することにより筒状の胴部が形成され、その後図１に示される折り目線６１，６１，８１，８１から４つの側片３８（略長方形形状）が内側に折り込まれ、さらに折り目線６２，６２，８２，８２から４つの内フラップ３１，３１，３５，３５が内側に折り込まれ、次いで、この折り込まれた４つの内フラップ３１，３１，３５，３５の外面の所定位置に糊付けがなされ接着部位が形成され、この糊付け面に向けて、折り目線７１，７１，９１，９１から４つの外フラップ４１，４１，４５，４５が折り込まれ、図２や図３に示されるような包装箱１が完成する。この状態は、いわゆる出荷箱に相当する。なお、組み立て手法は上記手法に限定されるものではない。
【００２６】
図１に示される展開図から分かるように当該展開図を組立てた包装箱は、４つの側片３８（折り曲げ連接片３８）の存在により、内フラップが連接される胴部の角があたかも切り取られた形態をなしている（図１の符号Ｈ相当部分）。そのため、図１の展開図を組み立てた包装箱を上面板２５からみた平面形状は、箱の角部が切り取られたような変形８角形となる。
【００２７】
しかしながら、４つの側片３８の存在は、本発明の包装箱において必須の要件ではなく、従って、４つの側片３８が存在する平面８角形形態であってもよいし、これらが存在しない一般的な平面４角形形態であってもよい。一般的な平面４角形形態については、後述の図１１〜図１８にその形態が示されている。
【００２８】
（本発明の要部の説明）  
＜第１の実施形態＞
図１〜図９に示される第１の実施形態は、上面板２５および底面板２１が８角形のコーナーカット形態を形成するために、側面板１１（１５）と内フラップ３１（３５）とが接続する箇所において、折り曲げ連接片３８が介在されているタイプのものである。
【００２９】
このようなコーナーカット形態において、側面板１１（１５）の略中央部には、それぞれ、開封開始口１００が形成されている。ここでいう略中央部とは、側面板１１（１５）の幾何学的な中心位置から距離換算で上下左右それぞれの全長に対して３０％以内のエリアを含む趣旨である。
【００３０】
開封開始口１００は、折線およびカット線を有し構成されており、当該開封開始口に対して押し込み操作を行うことによって、折線を基準として折り曲がる舌片が形成され、把持用の開口が形成されるように構成されている。図１に示される開封開始口１００はコの字状のライン形態を有し、折線１００ａはコの字を連接する直線部１００ａの箇所のみである。それ以外の他の線は、カット線（切り取り線）となっている。コの字の中に配置されている湾曲したハの字もカット線（切り取り線）で構成されている。
【００３１】
このような開封開始口１００の両側から内フラップ３１（３５）側へそれぞれ延設され、かつ上面板２５側へと近づくようにトレイ形成用切り取りライン１１０，１１０が形成されている。
【００３２】
第１の実施形態において、内フラップ３１（３５）の方向へそれぞれ延設されるトレイ形成用切り取りライン１１０，１１０は、側面板１１（１５）と、折り曲げ連接片３８との接合折線６１（８１）、まで延設されている。
【００３３】
なお、トレイ形成用切り取りライン１１０，１１０はミシン目で形成されており、開封開始口の近傍のミシン目ピッチと上面板側へと近づく終端部近傍におけるミシン目ピッチを比較した場合、終端部近傍におけるミシン目ピッチの方が小さく（狭く）なるように構成することが望ましい。なお、開封開始口の近傍とは、開封開始口から７ｃｍ以内の範囲を言う。また、終端部近傍とは、終端部から手前１２ｃｍの範囲を言う。
【００３４】
このように折り曲げ連接片３８に到達するまで延設されるトレイ形成用切り取りライン１１０，１１０の終端部１１０ａにおいては、側面板１１（１５）と折り曲げ連接片３８との接合折線６１（８１）に沿って、終端部１１０ａからさらに真っ直ぐ上面板２１側へと伸びる補助切り取りライン１１１が形成されている。
【００３５】
前記トレイ形成用切り取りライン１１０と垂直軸との角度θ（図示のごとく鋭角側）は、７５°〜８５°の範囲、好ましくは７８°〜８２°の範囲とされる。このような角度範囲において、特に、トレイ形成のための箱分断操作が簡易に行え、落下衝撃に対してもミシン目の破壊が起こり難いという効果が発現する。
【００３６】
このようなトレイ形成用切り取りライン１１０，１１０および補助切り取りライン１１１が形成されている本願発明の包装箱のトレイ形成のための開封手法は以下のとおりである。すなわち、図４に示されるように開封開始口１００に指を押し込んで開封するとともにその開封口に指を挿入する。
【００３７】
図４では、片側の側面板に対する動作しか描かれていないが、反対側の側面板に対しても同様な動作が同時に行われる。
【００３８】
次いで、図５に示されるように、側面板１１，１５を外方かつ上方に開くようにしてトレイ形成用切り取りライン１１０，１１０および補助切り取りライン線１１１を切り取る。この動作についても図４と同様に、片側の側面板に対する動作しか描かれていないが、反対側の側面板に対しても同様な動作が同時に行われ、図６に示される状態に至る。
【００３９】
次いで、図７に示されるように、上面板２５に近い方の外フラップ４５の内フラップ３１、３５との接着部位（通常、ホットメルト接着剤で接着されている）を剥離させて（引き剥がして）図８の状態に至る。なお、本発明の外フラップにはミシン目は入っていない。次いで、図９に示されるように、上面板２５とこの上面板２５に付随する切り取られた側面板部分と外フラップ４５との一体化物を除去する。その結果、下部に位置する残余物にてトレイが形成される。本実施形態１では、折り曲げ連接片３８がピラーとして残存するために、トレイの折り曲げに対する強度が格段と向上する。また、図９に示されるように、通常、廃棄される上面板２５とこの上面板２５に付随する切り取られた側面板部分と外フラップ４５とは一体化物として構成されているので、開封に際して発生するゴミの散在量を低減させることができる。
【００４０】
＜第２の実施形態＞
図１０には、本発明の包装箱の第２の実施形態である展開図が示されている。
【００４１】
図１０に示される第２の実施形態もまたいわゆるコーナーカットカートンと称されるラップアラウンド式の包装箱である。第２の実施形態が、上記の第１の実施形態と異なるのは開封開始口１０１の形態である。第２の実施形態における開封開始口１０１は、略半円状体の上に略逆台形が結合されたごとく形態を有している。略対向する直線部１０１ａ，１０１ｂが折線となっており、それ以外の他の線は、カット線（切り取り線）となっている。この第２の実施形態では、開封開始口１０１が大きめに設定されているので、開封の開始を容易にすることができる。
【００４２】
＜第３の実施形態＞
図１１および図１２には、それぞれ、本発明の包装箱の第３の実施形態である展開図および、この展開紙を組み立てた包装箱（カートン箱）の斜視図が示される。
【００４３】
この第３の実施形態は、コーナーカットされていない、一般的なラップアラウンド式の包装箱である。すなわち、図１１に示されるように、上面板２５、底面板２１、およびこれらを連結する２つの側面板１１，１５を有して形成される帯状の胴部、ならびに内フラップ３１，３５および外フラップ４１，４５を備えてなるラップアラウンド式の包装箱である。そして、側面板１１，１５の略中央部には、それぞれ、開封開始口１００が形成されており、この開封開始口１００の両側から内フラップ３１，３５側へそれぞれ延設されるとともに、上面板２５側へと近づくようにトレイ形成用切り取りライン１１０，１１０が形成されている。開封開始口１００の形態は、第１の実施形態の場合と同じである。
この第３の実施形態において、トレイ形成用切り取りラインは、側面板のライン延設方向の端部に到達するまで延設されている。すなわち、側面板１１（１５）と内フラップ３１（３５）との接合折線６１（８１）まで伸びている。
【００４４】
トレイ形成用切り取りライン１１０，１１０は、上述してきた実施形態と同様に、角度θが７５°〜８５°の範囲、好ましくは７８°〜８２°の範囲とされる。
【００４５】
トレイ形成用切り取りラインの終端部１１０ａにおいては、終端部１１０ａからさらに真っ直ぐ上面板２５側へと伸びる補助切り取りライン１１１が形成されている。
【００４６】
包装箱の開封手法は前述した図４〜図９に示される手法と基本的に同じ操作で行われる。なお、この第３の実施形態においては、トレイの状態でいわゆるピラーが存在しないが、その分だけ内容物の露出度は向上しており、展示される商品の宣伝効果は増大する。
【００４７】
＜第４の実施形態＞
図１３および図１４には、それぞれ、本発明の包装箱の第４の実施形態である展開図および、展開紙を組み立てた包装箱（カートン箱）の斜視図が示される。
【００４８】
図１３および図１４から分かるように、第４の実施形態が前述した第３の実施形態と異なる点は、内フラップ側へ延設されるトレイ形成用切り取りライン１１０，１１０の最終端１１０ａが、側面板１１（１５）と内フラップ３１（３５）との接合折線６１（８１）の手前で延設を止めるように形成されている。すなわち、側面板のライン延設方向の端部に至る手前で延設を止めるように形成されている。
【００４９】
トレイ形成用切り取りライン１１０，１１０の最終端１１０ａと接合折線６１（８１）との間の距離Ｄは、１５〜２５ｍｍ程度とするのが良い。この距離Ｄはいわゆるトレイを形成した際のピラーの幅となり、トレイの強度が増大する。Ｄ値を大きくとるほどトレイの強度は向上するが、その反面、商品の露出度は低下してしまい、適度なＤ値が上記の範囲となる。
【００５０】
このようなトレイ形成用切り取りライン１１０，１１０の最終端１１０ａにおいては、当該終端部１００ａからさらに真っ直ぐ上面板２５側へと伸びる補助切り取りライン１１２が形成される。このように上面板２５側へと伸びる補助切り取りライン１１２の終端部１１２ａから、さらに包装箱のコーナーに向かう側面板１１（１５）と上板面２５（糊代片９も上面板としてみなす）との接合折線の箇所に切り取り線１１３が形成される。
【００５１】
包装箱の開封手法は前述した図４〜図９に示される手法と基本的に同じ操作で行われる。なお、この第３の実施形態においては、前述したように開封によって形成されるトレイの状態でいわゆるピラーが存在しており（幅Ｄの箇所）、トレイ強度が増大する。
【００５２】
＜第５の実施形態＞
図１５には、本発明の包装箱の第５の実施形態である展開図が示されている。
【００５３】
第５の実施形態は、上記の図１１に示される第３の実施形態と開封開始口１０１の形態のみ異なる。それ以外は、図１１に示される第３の実施形態と同じである。第５の実施形態における開封開始口１０１の形態は、前記第２の実施形態（図１０参照）のそれを同じである。すなわち、第５の実施形態における開封開始口１０１は、略半円状体の上に略逆台形が結合されたごとく形態を有し、略対向する直線部１０１ａ，１０１ｂが折線となっており、それ以外の他の線は、カット線（切り取り線）となっている。この第５の実施形態では、開封開始口１０１が大きめに設定されているので、開封の開始を容易にすることができる。
【００５４】
＜第６の実施形態＞
図１６には、本発明の包装箱の第６の実施形態である展開図が示される。
【００５５】
第６の実施形態は、上記の図１３に示される第４の実施形態と開封開始口１０１の形態のみ異なる。それ以外は、図１３に示される第４の実施形態と同じである。この第６の実施形態における開封開始口１０１の形態は、前記第２の実施形態（図１０参照）および前記第５の実施形態（図１５参照）のそれらと同じである。
【００５６】
＜第７の実施形態＞
図１７には、本発明の包装箱の第７の実施形態である展開図が示される。
【００５７】
第７の実施形態は、上記の第３の実施形態（図１１）や上記の第５の実施形態（図１５）と開封開始口１０２の形態が異なる。さらには、開封開始口１０２の両端から開始されるトレイ形成用切り取りライン１１０，１１０の開始部分のみ異なる。すなわち、開封開始口１０２の形状は略盃形状をなし、略対向する直線部１０２ａ，１０２ｂが折線となっており、それ以外の他の線は、切り取り線となっている。開封開始口１０２の両端から開始されるトレイ形成用切り取りライン１１０，１１０の開始部分には、それぞれいわゆるＵ字状の切れ込み線１２３が形成されている。
【００５８】
＜第８の実施形態＞
図１８には、本発明の包装箱の第８の実施形態である展開図が示される。当該第８の実施形態は、図１７に示される第７の実施形態にピラー構造を付加するように構成された形態である。
【００５９】
この第８の実施形態においては、前述したように開封によってピラーが形成され（幅Ｄの箇所）、トレイ強度が増大する。
【００６０】
上述してきた本発明の各実施形態における包装箱は、例えば、店頭で中身の容器製品物を陳列する際に、予め包装箱の両方の側面板に形成された開封開始口に指を押し込んで開封するとともにその開封口に指を挿入した状態（図４）で、側面板を外方かつ上方に開くようにしてトレイ形成用切り取りライン１１０，１１０および補助切り取りライン線１１１等を切り取り（図５、図６）、次いで、上面板に近い方の外フラップの内フラップとの接着部位を剥離させる（図８）。これに伴い箱体の上下がそれぞれ分断され、上蓋が取り外された後、下部に残った残余の下部箱がそのまま商品を載せるトレイとして利用されるようになっている。
【００６１】
以下、具体的実験例を示し、本発明をさらに詳細に説明する。
【実施例】
【００６２】
〔実験例Ｉ〕
（実施例１の包装箱サンプル）
図１１に示されるような、ラップアラウンド式のカートン包装箱を実施例１の包装箱サンプルとして作製した。３５０ｍｌの缶ビールが２４本包装される大きさとした。トレイ形成用切り取りラインと垂直軸との角度θ（鋭角側）は８０°とし、ミシン目の個数は３０とした。紙材はＢ／Ｆとした。
【００６３】
（実施例２の包装箱サンプル）
図１５に示されるような、ラップアラウンド式のカートン包装箱を実施例２の包装箱サンプルとして作製した。３５０ｍｌの缶ビールが２４本包装される大きさとした。トレイ形成用切り取りラインと垂直軸との角度θ（鋭角側）は８０°とし、ミシン目の個数は２６とした。開封開始口の大きさが上記実施例１の場合よりもわずかに大きいためにミシン目の個数は減少している。紙材はＢ／Ｆとした。
【００６４】
（実施例３の包装箱サンプル）
図１７に示されるような、ラップアラウンド式のカートン包装箱を実施例３の包装箱サンプルとして作製した。３５０ｍｌの缶ビールが２４本包装される大きさとした。トレイ形成用切り取りラインと垂直軸との角度θ（鋭角側）は８０°とし、ミシン目の個数は２６とした。紙材はＢ／Ｆとした。
【００６５】
（実施例４の包装箱サンプル）
図１３に示されるような、ピラー形成のための間隔Ｄを備えるラップアラウンド式のカートン包装箱を実施例４の包装箱サンプルとして作製した（つまり、実施例１においてピラー形成のための間隔Ｄを備えたサンプルが実施例４となっている）。３５０ｍｌの缶ビールが２４本包装される大きさとした。トレイ形成用切り取りラインと垂直軸との角度θ（鋭角側）は８０°とし、ミシン目の個数は３０とした。紙材はＢ／Ｆとした。間隔Ｄの値は、１７．５ｍｍとした。
【００６６】
（実施例５の包装箱サンプル）
図１６に示されるような、ピラー形成のための間隔Ｄを備えるラップアラウンド式のカートン包装箱を実施例５の包装箱サンプルとして作製した（つまり、実施例２においてピラー形成のための間隔Ｄを備えたサンプルが実施例５となっている）。３５０ｍｌの缶ビールが２４本包装される大きさとした。トレイ形成用切り取りラインと垂直軸との角度θ（鋭角側）は８０°とし、ミシン目の個数は２６とした。紙材はＢ／Ｆとした。間隔Ｄの値は、１７．５ｍｍとした。
【００６７】
（実施例６の包装箱サンプル）
図１８に示されるような、ピラー形成のための間隔Ｄを備えるラップアラウンド式のカートン包装箱を実施例６の包装箱サンプルとして作製した（つまり、実施例３においてピラー形成のための間隔Ｄを備えたサンプルが実施例６となっている）。３５０ｍｌの缶ビールが２４本包装される大きさとした。トレイ形成用切り取りラインと垂直軸との角度θ（鋭角側）は８０°とし、ミシン目の個数は２６とした。紙材はＢ／Ｆとした。間隔Ｄの値は、１７．５ｍｍとした。
【００６８】
（比較例１の包装箱サンプル）
上記の特許文献３として示される特開２００４−３４４２３６号公報に開示されている内容を基に形態および寸法をトレースし、可能な範囲で開示内容と同じトレイ形成用切り取りラインを有する包装箱を比較例１の包装箱サンプルとして作製した。トレイ形成用切り取りラインと垂直軸との角度θ（鋭角側）は公報図面から読み取り５８°に設定した。紙材質や、包装箱の大きさは上記の各実施例の包装箱サンプルと同様とした。なお、特開２００４−３４４２３６号公報は、ラップアラウンド式のカートン包装箱とは異なる形態である。
【００６９】
（比較例２の包装箱サンプル）
上記の特許文献４として示される特開平８−３４４３０号公報に開示されている内容を基に形態および寸法をトレースし、可能な範囲で開示内容と同じトレイ形成用切り取りラインを有する包装箱を比較例２の包装箱サンプルとして作製した。トレイ形成用切り取りラインと垂直軸との角度θ（鋭角側）は公報図面から読み取り７６°に設定した。紙材質や、包装箱の大きさは上記の各実施例の包装箱サンプルと同様とした。なお、特開平８−３４４３０号公報における包装箱は、ラップアラウンド式のカートン包装箱ではあるが、片側の側面板には、トレイ形成用切り取りラインが形成されておらず、当該側面板がそのまま上蓋とヒンジの状態で残っており、完全に上蓋を除去して残余物をトレイとして使用する本願の実施形態とは異なる形態である。外フラップのミシン目の有無についても異なる。
【００７０】
（比較例３の包装箱サンプル）
上記の特許文献５として示される実開平６−８７２２１号公報に開示されている内容を基に形態および寸法をトレースし、可能な範囲で開示内容と同じトレイ形成用切り取りラインを有する包装箱を比較例３の包装箱サンプルとして作製した。トレイ形成用切り取りラインと垂直軸との角度θ（鋭角側）は公報図面から読み取り７６°に設定した。紙材質や、包装箱の大きさは上記の各実施例の包装箱サンプルと同様とした。なお、実開平６−８７２２１号公報は、ラップアラウンド式のカートン包装箱ではあるが、片側の側面板には、トレイ形成用切り取りラインが形成されておらず、当該側面板がそのまま上蓋とヒンジの状態で残っており、完全に上蓋を除去して残余物をトレイとして使用する本願の実施形態とは異なる形態である。外フラップのミシン目の有無についても異なる。
【００７１】
（比較例４の包装箱サンプル）
図１９に示されるような、従来一般の包装箱形態を比較例４の包装箱サンプルとして作製した。紙材質や、包装箱の大きさは上記の各実施例の包装箱サンプルと同様とした。
【００７２】
上記の実施例１〜実施例６、ならびに比較例１〜４の包装箱サンプルについて、下記の要領で、（１）トレイ強度評価試験、（２）耐落下衝撃試験、（３）トレイ状態での内容物露出度を、それぞれ求めて各評価を行った。
【００７３】
（１）トレイ強度評価試験
トレイに実際に缶製品をセットした状態で強度を測定した。すなわち、トレイとなる包装箱底面の半分の面積の載置台に、実缶入りトレイを片持ちとなるようセットする。トレイの長手方向の半分が宙に浮いた、いわゆる片持ち状態が形成される（庇状態が形成）。片持ち状態となっている所定箇所の缶上部をフォースゲージで押し、片持ちとなっているトレイが破断したときのピーク荷重を測定して、トレイ強度とした。なお、トレイ強度は、比較例４の包装箱サンプルの実測値を基準値（１．０）として、この基準値との相対値で各サンプルのトレイ強度を評価した。
【００７４】
（２）耐落下衝撃試験
実際に缶製品が入ったカートン包装箱を落下させて内容物の保護ができているか否かを確認する試験を行った。底面への垂直落下→底面の長手方向の稜線箇所の落下→底面の短手方向の角部の落下、という順序で落下のテストを行った。落下の高さは６０ｃｍの高さとした。
【００７５】
評価基準は以下のとおり。
◎…全く破断箇所が確認されない
○…取っ手部分やミシン目に破断であろうという箇所がごくわずかに確認できるレベル
×…取っ手部分やミシン目に明らかな破断が生じ、ひどい時には内容物が飛び出すレベル
【００７６】
（３）トレイ状態での内容物露出度（％）
カートンの展開図からトレイを形成した際の内容物の露出度合いを算出した。内容物が露出されている程、数値が大きい。
【００７７】
上記の各評価結果を下記表１に示した。
【００７８】
【表１】
2012091799.tif 000003
【００７９】
なお、表１における比較例２および比較例３のサンプルのトレイ強度が比較的に高い数値を示しているのは、以下の理由によるものと考察される。すなわち、これらの比較サンプルの片側の側面板には、トレイ形成用切り取りラインが形成されておらず、当該側面板がそのまま上蓋とヒンジの状態で残っており、当該側面板が強度アップに寄与しているものと考えられる。そのため、本願発明のサンプルのトレイ強度と、比較例２および比較例３のサンプルのそれらとは単純には比較できないと考えられる。
【００８０】
なお、表１における比較例２および比較例３のサンプルの形態は、完全に上蓋を除去して残余物をトレイとして使用する本願の実施形態とは異なる形態である。
【００８１】
上記の結果より本発明の効果は明らかである。すなわち、本発明の包装箱は、上面板、底面板、およびこれらを連結する２つの側面板を有して形成される帯状の胴部、ならびに内フラップおよび外フラップを備えてなるラップアラウンド式の包装箱であって、側面板の略中央部には、それぞれ、開封開始口が形成されており、開封開始口の両側から内フラップ側へそれぞれ延設されるとともに、上面板側へと近づくように形成されたトレイ形成用切り取りラインを有し、内フラップ側へそれぞれ延設されるトレイ形成用切り取りラインは、側面板のライン延設方向の端部に到達するまで延設されるか、あるいは、側面板のライン延設方向の端部に至る手前で延設を止めるように形成されており、延設されるトレイ形成用切り取りラインの延設方向の終端部においては、終端部からさらに真っ直ぐ上面板側へと伸びる補助切り取りラインが形成されており、開封開始口に指を挿入するとともに、側面板を外方に開くようにしてトレイ形成用切り取りラインおよび補助切り取りライン線を切り取り、しかる後、上面板に近い方の外フラップの内フラップとの接着部位を剥離させて、上面板とこの上面板に付随する切り取られた側面板部分と外フラップとの一体化物を除去した残余物にてトレイが形成されるように構成されているので、トレイ形成のための箱分断操作が簡易に行え、しかも残余の下部のトレイを構成する構造体そのものの強度が増強され、さらには、開封に際して発生するゴミの散在量を低減させることができるという効果が発現する。さらには、落下衝撃に対しても強い。
【産業上の利用可能性】
【００８２】
本発明の包装箱は、例えば缶ビール、発泡酒缶、チューハイ缶等のアルコール飲料缶や、缶ジュース、缶コーヒー、缶紅茶、缶入り茶等ノンアルコール飲料缶等の一定数量の容器を包装するための包装箱であり、包装産業一般に利用することができる。
【符号の説明】
【００８３】
１１，１５…側面板
２１…底面板
２５…上面板
３１，３５…内フラップ
４１，４５…外フラップ
１００，１０１，１０２…開封開始口
１１０…トレイ形成用切り取りライン
１１１…補助切り取りライン
【図１】
2012091799.tif 000004
【図２】
2012091799.tif 000005
【図３】
2012091799.tif 000006
【図４】
2012091799.tif 000007
【図５】
2012091799.tif 000008
【図６】
2012091799.tif 000009
【図７】
2012091799.tif 000010
【図８】
2012091799.tif 000011
【図９】
2012091799.tif 000012
【図１０】
2012091799.tif 000013
【図１１】
2012091799.tif 000014
【図１２】
2012091799.tif 000015
【図１３】
2012091799.tif 000016
【図１４】
2012091799.tif 000017
【図１５】
2012091799.tif 000018
【図１６】
2012091799.tif 000019
【図１７】
2012091799.tif 000020
【図１８】
2012091799.tif 000021
【図１９】
2012091799.tif 000022